(57)【要約】【課題】  水中において水酸基ラジカルを効果的に生成させる方法を提供すること。【解決手段】  水中に金属体を存在させておき、粒径が５０μｍ以下の微小気泡をそこに供給するかまたはそこで発生させることを特徴とする。【選択図】  図２
2011050931.tif 000002
【特許請求の範囲】
【請求項１】
水中における水酸基ラジカルの生成方法であって、水中に金属体を存在させておき、粒径が５０μｍ以下の微小気泡をそこに供給するかまたはそこで発生させることを特徴とする方法。
【請求項２】
金属体を構成する金属が金、銀、銅、白金、パラジウム、ロジウム、ルテニウム、オスミウム、イリジウムの少なくともいずれかの貴金属またはこれらの少なくとも１種を含む合金であることを特徴とする請求項１記載の方法。
【請求項３】
金属体の形状が粒状、板状、ワイヤ状、棒状のいずれかであることを特徴とする請求項１または２記載の方法。
【請求項４】
微小気泡が酸素および／またはオゾンを含むことを特徴とする請求項１乃至３のいずれかに記載の方法。
【請求項５】
水のｐＨが７以下であることを特徴とする請求項１乃至４のいずれかに記載の方法。
【請求項６】
酸化対象物を含む水中に請求項１記載の方法によって水酸基ラジカルを生成させ、生成した水酸基ラジカルで酸化対象物を酸化することを特徴とする酸化対象物の処理方法。
【発明の詳細な説明】
【技術分野】
【０００１】
本発明は、あらゆる技術分野にその有用性が潜在する特別な機能を付与した水としての水酸基ラジカルを含む水の製造に際し、水中において水酸基ラジカルを効果的に生成させる方法に関する。
【背景技術】
【０００２】
水酸基ラジカル（・ＯＨ）は水中において最も反応性の高い物質（反応活性種）の一つであり、酸化能力に優れるので汚水処理などの水処理や有害物質の分解処理などに利用できることは当業者によく知られた事実である。水中における水酸基ラジカルの生成方法はいくつか知られているが、その中にオゾンの促進酸化による方法がある。この方法は、不安定な物質であるオゾンを水中で促進的に分解させることで水酸基ラジカルを生成させるものであるが、オゾンは酸性条件下では安定化されるため、アルカリ性条件下で行われるのが一般的である。従って、オゾンの促進酸化によって水中に水酸基ラジカルを生成させることを酸性条件下で行いたい場合、例えば、系内に紫外線を照射する方法（特許文献１）や、系内に過酸化水素水を共存させる方法（特許文献２）などが採用される。しかしながら、紫外線を照射する方法は、水質の汚濁によって効果が低減するといった問題や紫外線を照射するための特別な装置が必要であるといった問題がある。また、過酸化水素水を共存させる方法は、コストが高くつくといった問題がある。
【０００３】
そこで本発明者らは、酸性条件下においても簡易かつ効率的に水酸基ラジカルを含む水を製造することができる方法の研究開発をこれまでに精力的に行ってきており、その成果として、電気伝導度が１００μＳ／ｃｍ以上でｐＨが５以下の水中に粒径が５０μｍ以下の微小気泡を発生させる方法（特許文献３）や、粒径が５０μｍ以下のオゾンを含んだ微小気泡を水中に発生させる方法（特許文献４）を提案している。
【０００４】
特許文献３の方法によれば、ある程度の水深（例えば２０ｃｍ以上）を有する水槽内や天然水域において、水の電気伝導度を１００μＳ／ｃｍ以上とし、かつ、ｐＨを５以下とした上で、粒径が５０μｍ以下の微小気泡を発生させると、微小気泡は、自然浮遊する条件下で、その球形を正常に維持したまま、気液界面に水中のイオン、例えば、水酸基イオン、プロトン（水素イオン）、電気伝導度の調整のために電解質を加えた場合やもともと水中に電解質が存在する場合には電解質イオンなどを電荷として濃縮させながら縮小し、そして消滅の瞬間に高濃度に濃縮された電荷がその濃縮の要因である界面を喪失することにより、超高電場として蓄えられた電荷エネルギーが瞬時に開放されることで、水酸基ラジカルが生成する。また、特許文献４の方法によれば、ある程度の水深（例えば２０ｃｍ以上）を有する水槽内や天然水域において、粒径が５０μｍ以下のオゾンを含んだ微小気泡を発生させることで、気体溶解に伴う微小気泡の縮小の際、微小気泡の気液界面に高濃度に濃縮された電荷とオゾンが反応し、オゾンが促進的に分解されるので、酸性条件下でも水酸基ラジカルを水中に生成させることができる。従って、これらの方法は、酸性条件下においても簡易かつ効率的に水酸基ラジカルを含む水を製造することができる画期的な方法として自他共に認められているところであるが、さらに効果的に水酸基ラジカルを水中において生成させる方法の探求は、この分野における技術発展のために非常に意義深いものである。
【先行技術文献】
【特許文献】
【０００５】
【特許文献１】特開２００３−９４０７５号公報
【特許文献２】特開平９−１２２６６２号公報
【特許文献３】特開２００８−９３６１２号公報
【特許文献４】特開２００８−２３７９５０号公報
【発明の概要】
【発明が解決しようとする課題】
【０００６】
そこで本発明は、水中において水酸基ラジカルを効果的に生成させる方法を提供することを目的とする。
【課題を解決するための手段】
【０００７】
本発明者らは、上記の点に鑑みて鋭意研究を重ねた結果、水中に貴金属などから構成される金属体を存在させておき、粒径が５０μｍ以下の微小気泡をそこに供給するかまたはそこで発生させると、多量の水酸基ラジカルが生成することを見出した。
【０００８】
上記の知見に基づいてなされた本発明の水中における水酸基ラジカルの生成方法は、請求項１記載の通り、水中に金属体を存在させておき、粒径が５０μｍ以下の微小気泡をそこに供給するかまたはそこで発生させることを特徴とする。
また、請求項２記載の方法は、請求項１記載の方法において、金属体を構成する金属が金、銀、銅、白金、パラジウム、ロジウム、ルテニウム、オスミウム、イリジウムの少なくともいずれかの貴金属またはこれらの少なくとも１種を含む合金であることを特徴とする。
また、請求項３記載の方法は、請求項１または２記載の方法において、金属体の形状が粒状、板状、ワイヤ状、棒状のいずれかであることを特徴とする。
また、請求項４記載の方法は、請求項１乃至３のいずれかに記載の方法において、微小気泡が酸素および／またはオゾンを含むことを特徴とする。
また、請求項５記載の方法は、請求項１乃至４のいずれかに記載の方法において、水のｐＨが７以下であることを特徴とする。
また、本発明の酸化対象物の処理方法は、請求項６記載の通り、酸化対象物を含む水中に請求項１記載の方法によって水酸基ラジカルを生成させ、生成した水酸基ラジカルで酸化対象物を酸化することを特徴とする。
【発明の効果】
【０００９】
本発明によれば、水中において水酸基ラジカルを効果的に生成させる方法を提供することができる。
【図面の簡単な説明】
【００１０】
【図１】実施例１において生成させた反応活性種としての水酸基ラジカルのＥＳＲスペクトルである。
【図２】実施例５におけるＴＯＣの経時的変化を示すグラフである。
【発明を実施するための形態】
【００１１】
本発明の水中における水酸基ラジカルの生成方法は、水中に金属体を存在させておき、粒径が５０μｍ以下の微小気泡をそこに供給するかまたはそこで発生させることを特徴とするものである。本発明によれば、水中に金属体を存在させておくことにより、水酸基ラジカルの生成量を飛躍的に増加させることができる。
【００１２】
本発明において、金属体を構成する金属としては、例えば、金、銀、銅、白金、パラジウム、ロジウム、ルテニウム、オスミウム、イリジウムの少なくともいずれかの貴金属が挙げられる。これらの金属は単独で使用してもよいし、複数種類を混合して使用してもよい。また、これらの金属を含む合金を使用してもよい。金属体の形状は特段限定されるものではなく、例えば、粒状、板状、ワイヤ状、棒状などが挙げられる。その使用量は、粒径が５０μｍ以下の微小気泡の発生量などにも依存するが、例えば、水１Ｌに対して０．１ｇ〜１０ｇである。
【００１３】
なお、本発明において、水中に粒径が５０μｍ以下の微小気泡を発生させる方法は、特許文献３に記載の通り、例えば、気液混合物を流動下において攪拌することにより行うことができる。この場合、回転子などを利用して半径が１０ｃｍ以下の渦流を強制的に生じせしめ、壁面などの障害物や相対速度の異なる流体に気液混合物を打ち当てることにより、渦流中に獲得した気体成分を渦の消失とともに分散させることで、所望の微小気泡を大量に発生させることができる。また、２気圧以上の高圧下で気体を水中に溶解させた後、これを大気圧に開放することにより生じた溶解気体の過飽和条件から気泡を発生させることができる。この場合、圧力の開放部位において、水流と障害物を利用して半径が１ｍｍ以下の渦を多数発生させ、渦流の中心域における水の分子揺動を起因として多量の気相の核（気泡核）を形成させるとともに、過飽和条件に伴ってこれらの気泡核に向かって水中の気体成分を拡散させ、気泡核を成長させることにより、所望の微小気泡を大量に発生させることができる。なお、これらの方法によって発生した気泡群の濃度は１００個／ｍＬ以上であり、１０００個／ｍＬよりも多い値となることも稀ではない（必要であれば特開２０００−５１１０７号公報や特開２００３−２６５９３８号公報などを参照のこと）。
【００１４】
本発明において、微小気泡に含まれる気体は特段限定されるものではなく、例えば窒素を含む微小気泡であっても水中において効果的に水酸基ラジカルを生成させることができる。しかしながら、微小気泡に含まれる気体が酸素やオゾンなどの酸素原子を含む気体である場合やこれらの気体を含む気体（空気など）である場合、よりいっそう効果的に水酸基ラジカルを水中において発生させることができる。
【００１５】
微小気泡を発生させる水のｐＨは特段限定されるものではない。しかしながら、本発明に基づく水酸基ラジカルの生成効果は、酸性条件下（ｐＨ７以下）において優れている（ｐＨ５以下が望ましい）。この事実は、汚水処理などの水処理を行う場合、水のｐＨがアルカリ性であると処理中に過剰な沈殿物が生成することで処理条件が悪化する場合があることから、沈殿物の生成を抑制し、優れた処理効率を維持するためには、水のｐＨは酸性であることが望ましいという事情に好都合である。なお、水のｐＨを酸性にするための調整は、必要に応じて有機酸および／または無機酸を加えることで行うことが望ましい。この場合、有機酸としては酢酸やシュウ酸やクエン酸などを使用することができる。無機酸としては塩酸や硫酸や硝酸などを使用することができる。
【００１６】
水中に微小気泡を発生させた後、少なくとも１秒間、望ましくは少なくとも１０秒間、微小気泡を水中で自然浮遊させることが望ましい。微小気泡を球形を保ちながら縮小させることで、気泡の分裂に伴う表面積の増加を防止することにより、微小気泡の気液界面に電荷をより高濃度に濃縮させることができるからである。
【実施例】
【００１７】
以下、本発明を実施例によって詳細に説明するが、本発明は以下の記載に限定して解釈されるものではない。
【００１８】
実施例１：
例えば、特開２００３−２６５９３８号公報に記載の方法に従って、４気圧の高圧下で、塩酸でｐＨを２．５に調整され、かつ、スピントラップ剤であるＤＭＰＯ（５，５−ジメチル−１−ピロリン−Ｎ−オキシド）を約５ｍｇ／Ｌの濃度で含有する水中に酸素を溶解させた後、これを大気圧に開放することにより生じた溶解酸素の過飽和条件から粒径分布が１μｍ〜５０μｍの酸素を含む微小気泡を水中に発生させ、これを直径約５ｍｍの銅の粒を約１ｇ入れた５Ｌのビーカーに供給し、１０秒以上、微小気泡を水中で自然浮遊させた後、水中に含まれる反応活性種を電子スピン共鳴法（ＥＳＲ）により測定した結果（スペクトル）を図１に示す。図１から明らかなように、このスペクトルからは、水酸基ラジカルに特徴的な１：２：２：１の大きさを示す４個のピークが認められ、左右のマンガンマーカー長に対する先頭のピーク長の比率は約４０％であった。ピーク長と水酸基ラジカルの生成量は相関しているので、以上の結果から、粒径が５０μｍ以下の酸素を含む微小気泡と銅の粒を水中で共存させることで、水中に多量の水酸基ラジカルを生成させることができることがわかった。
【００１９】
比較例１：
ビーカー中に銅の粒を存在させないこと以外は実施例１と同様の実験を行い、水中に含まれる反応活性種をＥＳＲにより測定した結果、実施例１で得られたスペクトルと同様に水酸基ラジカルのピークが認められたが、その先頭のピーク長は、実施例１で得られたスペクトルにおける先頭のピーク長の約１／８．５であった。よって、実施例１と比較例１の結果から、水中に銅の粒を存在させておくと、銅の粒が存在しない場合に比較して水酸基ラジカルの生成量が約８．５倍に増加することがわかった。その理由は必ずしも明らかではないが、水中において微小気泡と銅の粒を接触させることで、銅の粒の表面が水酸基ラジカルの生成に対する何らかの促進作用を発揮することが考えられた（銅のかわりに酸化銅を使用した場合や水中に銅イオンを存在させた場合には水酸基ラジカルの生成量が増加しないことを別途の実験で確認した）。
【００２０】
実施例２：
気体として酸素のかわりに窒素を使用すること以外は実施例１と同様の実験を行い、水中に含まれる反応活性種をＥＳＲにより測定した結果、実施例１で得られたスペクトルと同様に水酸基ラジカルのピークが認められた。左右のマンガンマーカー長に対する先頭のピーク長の比率は約２０％であったことから、実施例１に比較して水酸基ラジカルの生成量はおよそ半分であったが、ビーカー中に銅の粒を存在させないで同様の実験を行った場合、水酸基ラジカルの生成はそのピークがノイズに埋もれてしまって明確に認めることができない程度に少量であることに鑑みれば、気体として窒素を使用した場合でも、水中に銅の粒を存在させておくことで、水酸基ラジカルを効果的に生成させることができることがわかった。
【００２１】
実施例３：
気体として酸素のかわりに無声放電によってその約３％をオゾンに変換したオゾン含有酸素を使用すること以外は実施例１と同様の実験を行い、水中に含まれる反応活性種をＥＳＲにより測定した結果、水酸基ラジカルのピークはノイズに埋もれてしまって明確に認めることができなかった。実験終了後、水中のＤＭＰＯを分析すると、そのほとんどが分解されていたので、この現象はＤＭＰＯを酸化分解してしまうほど多量に水酸基ラジカルが生成したことによるものと考えられたが、この考察は、微小気泡の水中での自然浮遊時間を数秒の短時間にした場合には水酸基ラジカルのピークが認められたことによって支持された。
【００２２】
比較例２：
散気管を利用して粒径分布が０．５ｍｍ〜３ｍｍの酸素を含む気泡を水中に発生させたこと以外は実施例１と同様の実験を行い、水中に含まれる反応活性種をＥＳＲにより測定したところ、水酸基ラジカルのピークは全く認めることができなかった。以上の結果から、酸素を含む気泡の大きさが大きすぎると、水中に銅の粒を存在させておいても、そもそも水酸基ラジカルは生成しないことがわかった。
【００２３】
実施例４：
銅のかわりに金、銀、白金、パラジウム、ロジウム、ルテニウム、オスミウム、イリジウムのそれぞれを使用した場合においても、使用しない場合に比較して水酸基ラジカルの生成量が増加することを実施例１と同様の実験において確認した。
【００２４】
実施例５：
自体公知の微小気泡発生装置（必要であれば特開２００３−２６５９３８号公報を参照のこと）を使用して粒径分布が１μｍ〜５０μｍの空気を含む微小気泡を水中に連続的に発生させ、これを、繊維工場などからの排水に含まれる難分解性の有機化合物であるポリビニルアルコール（ＰＶＡ）を酸化対象物として溶解させた水溶液（塩酸でｐＨを２．２に調整）を満たすとともに、直径約２ｍｍ×長さ約２００ｍｍの銅ワイヤ（約５ｇ）を入れた５Ｌのビーカーに連続的に供給し（装置全体は循環ポンプを使用した閉鎖回路）、水中に含まれる全有機炭素量（ＴＯＣ）の変化を島津製作所社製のＴＯＣ分析装置（ＴＯＣ−Ｖ  ＣＨＳ）を使用して経時的に分析した。結果を図２に示す。図２から明らかなように、水中に含まれるＴＯＣは、実験開始から３０分後に一時的な増加が認められたが、その後は時間の経過とともに減少し、ＰＶＡが効率的に酸化分解されたことがわかった。ＰＶＡはオゾンをバブリングさせる方法によっても酸化分解されないほどに難分解性であるにもかかわらずこのような結果が得られたのは、水中に生成した水酸基ラジカルの優れた酸化能力によるものと考えられた。
【００２５】
比較例３：
ビーカー中に銅ワイヤを存在させないこと以外は実施例５と同様の実験を行ったところ、実験開始から２時間以内ではＰＶＡは酸化分解されなかった（ＰＶＡの酸化分解はその後において確認できた）。
【００２６】
実施例６：
気体として空気のかわりにオゾンを使用し、ＰＶＡのかわりに電子部品工場などからの排水に含まれる難分解性の有機化合物である陰イオン界面活性剤（ＭＢＡＳ）を酸化対象物とすること以外は実施例５と同様の実験を行った。その結果、試験開始直後に液面から大量の発泡（泡沫）が生じたが、約１時間後にはＭＢＡＳの酸化による不活化によって発泡は収まった。
【００２７】
比較例４：
ビーカー中に銅ワイヤを存在させないこと以外は実施例６と同様の実験を行ったところ、実験開始から３時間以内では発泡は収まらず、ＭＢＡＳの酸化による不活化には時間を要することがわかった。
【産業上の利用可能性】
【００２８】
本発明は、水中において水酸基ラジカルを効果的に生成させる方法を提供することができる点において産業上の利用可能性を有する。
【図１】
2011050931.tif 000003
【図２】
2011050931.tif 000004